【手続補正書】
【提出日】平成16年9月13日(2004.9.13)
【手続補正１】
【補正対象書類名】明細書
【補正対象項目名】特許請求の範囲
【補正方法】変更
【補正の内容】
【特許請求の範囲】
【請求項１】
本体の少なくとも前面上部に前面吸込口を設け、前記前面吸込口と前記吹出口とを結ぶ空気通路に、空気清浄ユニットと、熱交換器と、送風ファンとを設けてなる空気調和機において、前記本体前面の、前記前面吸込口と前記吹出口との間に開口部を設け、同開口部に前記空気清浄ユニットを着脱自在に装着してなることを特徴とする空気調和機。
【請求項２】
前記空気清浄ユニットが、収納箱と、同収納箱に収納されるフィルタと、電気集塵式フィルタユニットと、光触媒脱臭フィルタとからなることを特徴とする請求項１に記載の空気調和機。
【請求項３】
前記本体の前記開口部の両側に取付部を設ける一方、前記収納箱に固定部を設け、前記取付部に前記固定部が取付けられてなることを特徴とする請求項１または請求項２に記載の空気調和機。
【請求項４】
前記収納箱は前面に複数の横桟からなる空気取入口を設け、後面に吐出口を設けてなることを特徴とする請求項１乃至請求項３に記載の空気調和機。
【請求項５】
前記収納箱の上面に、フィルタ挿入口を設け、同フィルタ挿入口から前記収納箱の裏面に、前記フィルタが装着されてなることを特徴とする請求項１、請求項２または請求項４に記載の空気調和機。
【請求項６】
前記収納箱を仕切板により左右に区画して、区画された一方に前記電気集塵式フィルタユニットを収納し、他方に前記光触媒脱臭フィルタを収納してなることを特徴とする請求項１、請求項２または請求項４に記載の空気調和機。
【手続補正２】
【補正対象書類名】明細書
【補正対象項目名】発明の詳細な説明
【補正方法】変更
【補正の内容】
【発明の詳細な説明】
【０００１】
【発明の属する技術分野】
本発明は、空気調和機に係わり、より詳細には、空気清浄ユニットを前面パネルの下部に着脱自在に設けて、空気清浄機ユニットの取扱い性を向上させるともに、空気清浄能力を向上させた構成に関する。
【０００２】
【従来の技術】
従来の、空気清浄ユニットを備えた空気調和機は、例えば図６（Ａ）で示すような構成となっている。図６（Ａ）で示す空気調和機３０は、ベース３１と、同ベース３１の前面に装着される前面パネル３２と、同前面パネル３２に着脱自在に装着される前面グリル３３とで本体を構成し、同本体の前面上部に前面吸込口３４を、上面に上面吸込口３５を、前記前面吸込口３４と前記上面吸込口３５との間に前面上部吸込口３６とを設け、前面下部に吹出口３７を設けている。前記前面吸込口３４、前記上面吸込口３５及び前記前面上部吸込口３６と前記吹出口３７とを結ぶ空気通路には、前記前面上部吸込口３６に臨ませた空気清浄ユニット４０と、垂直部３８ａと、同垂直部３８ａの上端を折曲して後方に傾斜させた後方傾斜部３８ｂと、同後方傾斜部３８ｂの上端を折曲して下方に傾斜させた下方傾斜部３８ｃとからなる熱交換器３８と、送風ファン３９とが設けられている。
【０００３】
前記空気清浄ユニット４０は、電気集塵フィルターあるいは光触媒脱臭フィルタ等を内蔵し、前記前面上部吸込口３６から吸込まれた空気に含まれる微細な塵、埃または臭気成分を除去して清浄化し、清浄化された空気を、前記前面吸込口３４及び前記上面吸込口３５から吸込まれ前記熱交換器３８により熱交換された空気と共に、前記吹出口３７から室内に送出するようになっている。
【０００４】
しかしながら、前記空気清浄ユニット４０は、前記後方傾斜部３８ｂの前面に配置され前記送風ファン３９からやや遠い位置にある関係上、前記送風ファン３９の吸込力が充分に作用せず、清浄化できる空気量に限界があり、また、前記電気集塵フィルターまたは前記光触媒脱臭フィルタの定期的な交換を行う際、図６（Ｂ）で示すように、前記前面グリル３３を前記前面パネル３２から外し、前記空気清浄ユニット４０を前記後方傾斜部３８ｂの前面から抜脱する必要があり、前記空気調和機３０が壁面のやや高い位置に据付けられている場合などには、その作業に困難さを伴い、これらの改善が望まれていた。
【０００５】
【発明が解決しようとする課題】
本発明は上記問題点に鑑み、空気清浄ユニットを充分な空気が通過して空気清浄能力が向上するとともに、本体が壁面の高い位置に据付けられたとしても、空気清浄ユニットの着脱が容易に行えるようにした空気調和機を提供することを目的とする。
【０００６】
【課題を解決するための手段】
本発明は上記課題を解決するため、本体の少なくとも前面上部に前面吸込口を設け、前面下部に吹出口を設け、前記前面吸込口と前記吹出口とを結ぶ空気通路に、空気清浄ユニットと、熱交換器と、送風ファンとを設けてなる空気調和機において、前記本体前面の、前記前面吸込口と前記吹出口との間に開口部を設け、同開口部に前記空気清浄ユニットを着脱自在に装着してなる構成となっている。
【０００７】
また、前記空気清浄ユニットが、収納箱と、同収納箱に収納されるフィルタと、電気集塵式フィルタユニットと、光触媒脱臭フィルタとからなる構成となっている。
【０００８】
また、前記本体の前記開口部の両側に取付部を設ける一方、前記収納箱に固定部を設け、前記取付部に前記固定部が取付けられてなる構成となっている。
【００１１】
また、前記収納箱の上面に、フィルタ挿入口を設け、同フィルタ挿入口から前記吸込口の裏面に、前記フィルタが装着されてなる構成となっている。
【００１２】
更に、前記収納箱を仕切板により左右に区画して、区画された一方に前記電気集塵式フィルタユニットを収納し、他方に前記光触媒脱臭フィルタを収納してなる構成となっている。
【００１３】
【発明の実施の形態】
以下、本発明の実施の形態を、添付図面に基づいた実施例として詳細に説明する。図1は本発明による空気調和機を示す断面図であり、図２（Ａ）は空気清浄ユニットの構成を示す分解斜視図であり、図２（Ｂ）は気清浄ユニットの断面図である。図３（Ａ）は空気清浄ユニットの着脱を示す断面図であり、図３（Ｂ）はその外観斜視図である。また図４（Ａ）は空気清浄機ユニットの取付けの第一実施例を示す外観斜視図であり、図４（Ｂ）は取付けの第二実施例を示す外観斜視図である。図５（Ａ）は冷暖房運転及び空気清浄運転の際の空気の流れを示す断面図であり、図５（Ｂ）は空気清浄運転時の空気の流れを示す断面図である。本発明による空気調和機１は、図１で示すように、ベース２と、同ベース２の前面に装着される前面パネル３とで本体を構成し、同本体の前面上部に前面吸込口４を、上面に上面吸込口５を設け、前面下部に風向偏向板６ａを備えた吹出口６を設けている。前記前面吸込口４には、前記本体に軸支された軸７ａにより前後に回動して前記前面吸込口４を開閉する複数の前面ルーバ７が設けられており、同様に、前記上面吸込口５にも前記本体に軸支された軸８ａにより上下に回動して前記上面吸込口５を開閉する複数の上面ルーバ８が設けられている。
【００１４】
前記前面吸込口４及び前記上面吸込口５と前記吹出口６とを結ぶ空気通路には、垂直部１０ａと、同垂直部１０ａの上端を折曲して後方に傾斜させた後方傾斜部１０ｂと、同後方傾斜部１０ｂの上端を折曲して下方に傾斜させた下方傾斜部１０ｃとからなる熱交換器１０と、同熱交換器１０により熱交換された空気を室内に送出する送風ファン１１とが設けられている。
【００１５】
前記前面吸込口４と前記吹出口６との間の前記本体の前面には、空気清浄ユニット１２が設けられており、図２（Ａ）はその背面側からの分解斜視図である。図２（Ａ）および図２（Ｂ）で示すように、前記空気清浄ユニット１２は、略箱体状に形成された収納箱１３と、不織布からなるフィルタを張設したフィルタ１４と、電気集塵式フィルタユニット１５と、光触媒脱臭フィルタ１６とからなっている。前記収納箱１３は前面に複数の横桟からなる空気取入口１３ａを設け、後面に吐出口を設け、内部を仕切板１３ｄにより左右に区画して、区画された一方を、前記電気集塵式フィルタユニット１５が収納される第一収納部１３ｂとし、他方を前記光触媒脱臭フィルタ１６を収納する第二収納部１３ｃとしている。また、前記収納箱１３の上面には、前記フィルタ１４が挿抜されるフィルタ挿入口１３ｅが穿設されており、前面両側は左右に延出されて同延出部は前記空気調和機１の本体に固定される固定部１３ｆとなっている。
【００１６】
前記フィルタ１４は、複数の桟を設け矩形状に形成された枠体１４ａと、同枠体１４ａ内に張設された不織布からなるフィルタ１４ｂとからなり、前記フィルタ挿入口１３ｅから前記吸込口１３ａの裏面に装着され、前記空気取入口１３ａから吸込まれた空気に含まれる粗大な塵や埃を吸着するようになっている。前記電気集塵式フィルタユニット１５はその内部にイオンを発生させる電極を有し、前記電気集塵式フィルタユニット１５内を通過する空気にイオンを放出して、その中に含まれる塵や埃を帯電させ帯電した微細な塵や埃を、その内部に設けたフィルタに吸着するようになっている。前記光触媒脱臭フィルタ１６は、前記空気取入口１３ａから吸込まれた空気に含まれる臭気成分を吸着して、例えば室内に漂う煙草の臭い等を除去するようになっている。
【００１７】
前記空気調和機１の前記本体前面には、図３（Ｂ）で示すように、前記空気清浄ユニット１２が装着される、開口部３ａと、同開口部３ａの両側に設けられ前記空気清浄ユニット１２の前記固定部１３ｆに対応した取付部３ｂが設けられている。前記固定部１３ｆの前記取付部３ｂへの取付の第一実施例は、図４（Ａ）で示すように、前記空気清浄ユニット１２の前記固定部１３ｆにネジ挿通孔１３ｇを穿設し、前記取付部３ｂに前記ネジ挿通孔１３ｇに対応したネジ孔３ｃを設けて、ネジ１７を前記ネジ挿通孔１３ｇに挿通させるとともに、前記ネジ孔３ｃに螺合させて前記空気清浄ユニット１２を前記本体に装着するようになっている。取付の第二の実施例は、図４（Ｂ）で示すように、前記取付部１３ｆの裏面に係止爪１３ｈを突設し、前記取付部３ｂに前記係止爪１３ｈが係止する係止孔３ｄを穿設して、前記係止爪１３ｈが前記係止孔３ｄに係止することにより、前記空気清浄ユニット１２を前記本体に着脱自在に装着できるようになっている。
【００１８】
図５（Ａ）は、冷暖房運転時及び空気清浄運転時の空気の流れを示す断面図であり、図５（Ｂ）は空気清浄運転時の空気の流れを示す断面図である。冷暖房運転時及び空気清浄運転時は、前記前面吸込口４に備えられた前記前面ルーバ７が前方に回動して前記前面吸込口４を開放するとともに、前記上面吸込口５に備えられた前記上面ルーバ８が上方に回動して前記上面吸込口５を開放する。室内の空気は前記前面吸込口４及び前記上面吸込口５から吸込まれ、前記熱交換器１０により熱交換されるとともに、前記空気清浄ユニット１２の前記空気取入口１３ａから吸込まれ清浄化されて、熱交換された空気とともに前記吹出口６から室内に送出されるようになっている。空気清浄運転時は、前記前面吸込口４及び前記上面吸込口５が閉じられ、室内の空気は前記空気清浄ユニット１２の前記空気取入口１３ａから吸込まれ塵や埃あるいは臭気成分が除去されて前記吹出口６から吹出される。この際、図５（Ｂ）の矢印で示すように、室内の空気は最短の経路を通り前記吹出口６から吹出されるとともに、前記空気清浄ユニット１２が前記送風ファン１１の近傍に配置されていることにより、前記送風ファン１１の吸引力が強く作用し、前記空気清浄ユニット１２を通過し清浄化される空気量が増加し、これにより前記空気調和機１の空気清浄能力が従来に比較して向上している。
【００１９】
【発明の効果】
以上説明したように、本発明によると、本体の前面上部に設けられた前面吸込口と前面下部に設けられた吹出口との間に空気清浄ユニットを設け、同空気清浄ユニットを螺着あるいは係合により本体の前面に着脱自在に設けることにより、内蔵されたフィルタ等を交換する際、前記空気清浄ユニットを容易に着脱でき、使い勝手が向上する一方、前記空気清浄ユニットが前記本体内に備えられた送風ファンの近傍に配置されることにより、前記送風ファンの吸引力が前記空気清浄ユニットに強く作用して清浄化される空気量が増大し、空気清浄能力の向上した空気調和機とすることができる。
【手続補正３】
【補正対象書類名】明細書
【補正対象項目名】図面の簡単な説明
【補正方法】変更
【補正の内容】
【図面の簡単な説明】
【図１】本発明による空気調和機を示す断面図である。
【図２】（Ａ）は本発明による空気調和機に設けられた空気清浄ユニットを示す分解斜視図である。（Ｂ）は空気清浄ユニットを示す段面図である。
【図３】（Ａ）は本体からの空気清浄ユニットの着脱を示す断面図である。（Ｂ）は本体からの空気清浄ユニットの着脱を示す外観斜視図である。
【図４】（Ａ）は空気清浄ユニット取付けの第一の実施例を示す外観斜視図である。（Ｂ）は空気清浄ユニット取付けの第二の実施例を示す外観斜視図である。
【図５】（Ａ）は冷暖房運転時及び空気清浄運転時の空気の流れを示す断面図である。（Ｂ）は空気清浄運転時の空気の流れを示す断面図である。
【図６】（Ａ）は従来例による空気調和機を示す断面図である。（Ｂ）は従来例による空気調和機の空気清浄ユニットの着脱を示す断面図である。
【符号の説明】
１ 空気調和機
２ ベース
３ 前面パネル
３ａ 開口部
３ｂ 取付部
３ｃ ネジ孔
３ｄ 係止孔
４ 前面吸込口
５ 上面吸込口
６ 吹出口
６ａ 風向偏向板
７ 前面ルーバ
７ａ 軸
８ 上面ルーバ
８ａ 軸
９ フィルタ
１０ 熱交換器
１０ａ 垂直部
１０ｂ 後方傾斜部
１０ｃ 下方傾斜部
１１ 送風ファン
１２ 空気清浄ユニット
１３ 収納箱
１３ａ 空気取入口
１３ｂ 第一収納部
１３ｃ 第二収納部
１３ｄ 仕切板
１３ｅ フィルタ挿入口
１３ｆ 固定部
１３ｇ ネジ挿通孔
１３ｈ 係止爪
１４ フィルタ
１４ａ 枠体
１４ｂ フィルタ
１５電気集塵式フィルタユニット
１６ 光触媒脱臭フィルタ
１７ ネジ
【手続補正４】
【補正対象書類名】図面
【補正対象項目名】図２
【補正方法】変更
【補正の内容】
【図２】
2002188853.tif 000001